(57)【要約】【課題】  折りたたみでき、収納途中でもロックできるようにする。【解決手段】  基礎部材２４上に回動自在に取り付けた複数の脚柱２５，２６，２７の上端部に、手摺部材２８を回動自在に取り付ける。１つの脚柱２５と手摺部材２８との間に、脚柱２５が起立したときに両者を固定するようにロックする第１ロック機構２９を設ける。脚柱２５を回動させて収納するときに、手摺部材２８と脚柱２５とをロックする第２ロック機構３０を設ける。第１ロック機構２９と第２ロック機構３０を、１つの手摺ラッチ部３５で同時に作動させてロック解除できるようにし、又、手摺ラッチ部３５から手を離すと、上記２つのロック機構２９と３０が同時にロック状態になるようにする。【選択図】図１
2009213797.tif 000002
【特許請求の範囲】
【請求項１】
手摺を取り付けるベッドの如き装置に装着するための基礎部材と該基礎部材上に複数の脚柱を介して取り付ける手摺部材とからなり、各脚柱の上下両端部を手摺部材と基礎部材に回動可能に取り付けて折りたたみ式としてある手摺において、所要の脚柱と手摺部材とを、１つの手摺ラッチ部で操作される２組のロック機構でロックできるようにした構成を有することを特徴とする折りたたみ式手摺。
【請求項２】
２組のロック機構を、脚柱が起立時に脚柱と手摺部材とをロックして展開状態を保持させるようにする第１ロック機構と、該ロック機構によるロックを解除した後に脚柱を倒して手摺部材を収納するときに脚柱を手摺部材にロックさせるようにする第２ロック機構とからなるものとした請求項１記載の折りたたみ式手摺。
【請求項３】
第１ロック機構を、スプリングにより下方へ付勢されるロックピンを手摺ラッチ部で引き上げることにより脚柱側部のロック用プレートとのロックを解放できるようにし、第２ロック機構を、スプリングにより押し出し方向に付勢されているロックピンを上記手摺ラッチ部で後退させることにより脚柱上端面の凸部とのロックを解放できるようにしてなる請求項２記載の折りたたみ式手摺。
【発明の詳細な説明】
【技術分野】
【０００１】
本発明は、ベッド等の如き横から乗り降りするようなところに設置して用いる折りたたみ式手摺に関するものである。
【背景技術】
【０００２】
たとえば、ベッドやストレッチャ等の如き地面又は床面より高い位置で人間が横臥するようにしてある装置においては、該装置の上で利用者が寝返り、その他の行動をとっても装置上から落下することがないように、左右両側部に、落下防止や立上がり時等の支持材を兼ねた様々な手摺が用いられている。このような手摺の多くは、上記ベッド等の装置に横方から乗り降りすることが容易にできるように、手摺を折りたたみ式にして、装置使用時は、手摺を立設状態とし、装置不使用時は、折りたたんで格納状態とし、該装置の利用者が該装置への乗り降りがし易いようにしたものとしてある。最も簡便な構成のものとしては、ベッド等の両側部のフレームに固定する基礎部材と、上方に水平に配置される手摺部材とを、複数本の脚柱で連結すると共に、各脚柱の上下両端部と上下の各部材との連結部を回動可能にして、手摺部材が基礎部材上に折りたたまれるようにした構成の手摺が知られている。
【０００３】
その一例を示すと、図６及び図７に示す如きものがある。すなわち、ベッドの左右両側のフレームに固定するようにしてある基部プレート１上に、前後方向に一対のリンクアーム２と３の各下端を、ブラケット４，５を介して前後方向へ回動可能に取り付けると共に、該各リンクアーム２，３の各上端部を、手摺部としてのメイン部材６の下面に、ブラケット７，８を介して各々前後方向へ回動可能に取り付けて、メイン部材６がリンクアーム２，３の回動で折りたたまれるようにしてある。
【０００４】
又、上記手摺部としてのメイン部材６を展開させた状態を保持させるために、リンクアーム２，３が起立した状態でメイン部材６とリンクアーム２とをロックするためのロック機構９を設け、更に、手摺部としてのメイン部材６を倒して折りたたむときにベッドのフレームやリンクアーム２，３等で指等を挟み込まないようにするためのロック機構１０を備えたものとしてある。
【０００５】
なお、上記ロック機構９は、メイン部材６に取り付けてあるブラケット７に固定された筒状部材１１にスプリング１２を介してピン１３を挿入して、該ピン１３がスプリング１２により常時筒状部材１１から押し出されるように付勢されて、リンクアーム２の上端部に設けてある空孔部１４に挿通することによりロックされるようにしてあり、又、上記筒状部材１１の外周部に設けた長孔１５を通してピン１３にネジ部材１６を螺着し、該ネジ部材１６を介してピン１３をスプリング１２に抗して後方へ移動させることにより、ピン１３が上記空孔部１４から外れてロックが解除されるようにしてある。このロック解除を、レバー１７の操作で行うようにするため、メイン部材６を跨ぐようにしてある上記レバー１７を、メイン部材６に取り付けて、該レバー１７の先端部に取り付けた左右方向に延びるネジ部材１８を、上記ネジ部材１６に係合させ、レバー１７を前方へ回動させることによりピン１３を後退させてロックを解除し、折りたためるようにしてある。一方、ロック機構１０は、メイン部材６の下面に固着した取付プレート１９に支持プレート２０を回動自在に取り付け、該支持プレート２０と前記レバー１７に取り付けたネジ部材１８とを作動プレート２１で連結した構成としてあり、メイン部材６を格納するとき、レバー１７を上方へ回動させてネジ部材１８を介し作動プレート２１を後方に押し出すことで支持プレート２０が立てられ、この状態でメイン部材６を下げると、支持プレート２０が基部プレート１に接触して該基部プレート１とメイン部材６との間に隙間が形成されて、指等が挟まれることがないようにし、次に、レバー１７を押し下げることにより作動プレート２１を前方へ引き出し、支持プレート２０を上方へ回動させるようにしてある（たとえば、特許文献１参照）。
【０００６】
【特許文献１】特開２００６−２９６６１１号公報
【発明の開示】
【発明が解決しようとする課題】
【０００７】
ところが、上記特許文献１に記載されているものでは、手摺部となるメイン部材６の上面に、レバー１７があって、このレバー１７がメイン部材６の上面よりも更に上方へ引き上げるように回動させることによりロック機構９，１０を作動させるようにしてあり、しかも、レバー１７はメイン部材６のほぼ中央部分に位置していることから、手摺部としてのメイン部材６を握っていて、誤ってレバー１７を持ち上げると、ロック機構９によるロックが解除されて、手摺部としてのメイン部材６が下降するおそれがあり、又、ロック機構１０は、メイン部材６に取り付けた取付プレート１９と、支持プレート２０と、作動プレート２１とからなる複雑なものであると共に、メイン部材６を下降するときにレバー１７を誤って押し下げると、支持プレート２０は倒れたままとなってロック機構１０は作動しなくなる、という問題もある。
【０００８】
そこで、本発明は、手摺部材と脚柱とのロック操作や、折りたたみ時における指等を挟むことがないようにするロック操作を、手摺部材を把持するときに誤って行ったりすることがないようにすると共に、簡単な構成で確実に作動できるようにした折りたたみ式手摺を提供しようとするものである。
【課題を解決するための手段】
【０００９】
本発明は、上記課題を解決するために、手摺を取り付けるベッドの如き装置に装着するための基礎部材と該基礎部材上に複数の脚柱を介して取り付ける手摺部材とからなり、各脚柱の上下両端部を手摺部材と基礎部材に回動可能に取り付けて折りたたみ式としてある手摺において、所要の脚柱と手摺部材とを、１つの手摺ラッチ部で操作される２組のロック機構でロックできるようにした構成とする。
【００１０】
又、上記構成における２組のロック機構を、脚柱が起立時に脚柱と手摺部材とをロックして展開状態を保持させるようにする第１ロック機構と、該ロック機構によるロックを解除した後に脚柱を倒して手摺部材を収納するときに脚柱を手摺部材にロックさせるようにする第２ロック機構とからなるものとする。
【００１１】
更に、第１ロック機構を、スプリングにより下方へ付勢されるロックピンを手摺ラッチ部で引き上げることにより脚柱側部のロック用プレートとのロックを解放できるようにし、第２ロック機構を、スプリングにより押し出し方向に付勢されているロックピンを上記手摺ラッチ部で後退させることにより脚柱上端面の凸部とのロックを解放できるようにしてなるものとする。
【発明の効果】
【００１２】
本発明によれば、以下の如き優れた効果を発揮する。  
（１）手摺を取り付けるベッドの如き装置に装着するための基礎部材と該基礎部材上に複数の脚柱を介して取り付ける手摺部材とからなり、各脚柱の上下両端部を手摺部材と基礎部材に回動可能に取り付けて折りたたみ式としてある手摺において、所要の脚柱と手摺部材とを、１つの手摺ラッチ部で操作される２組のロック機構でロックできるようにした構成としてあるので、手摺ラッチ部を掴むことにより２組のロック機構によるロックを解除できて、ロック解除を確実に行うことができる。  
（２）第１ロック機構を解除した後に、手摺ラッチ部から手を離しておくことにより、自動的にスプリングの弾力によりロック機構はロック状態にできるので、手摺の収納時に、確実に途中で手摺部材と脚柱とをロックすることができて、収納時に手摺部材を握っている手を挟むようなことをなくすことができる。  
（３）収納途中での手摺部材と脚柱とのロックは、脚柱に設けた凸部と第２ロック機構のロックピンとの当接で行い、この状態は手摺ラッチ部を掴んでいないので、誤操作のおそれも全くないものとすることができる。  
（４）手摺ラッチ部を掴んだままで収納させたり、展開させたりすれば、途中でのロックなしの状態で収納、展開ができて、迅速に収納と展開を行うことができる。
【発明を実施するための最良の形態】
【００１３】
以下、本発明を実施するための最良の形態を図面を参照して説明する。
【００１４】
図１乃至図５は本発明の実施の一形態を示すもので、たとえば、ベッドの両側部のフレームの如き固定部材２２にアーム２３を介して固定できるようにしてある基礎部材２４と、該基礎部材２４上に前後方向となる基礎部材２４の長手方向に回動できるようにした複数本の脚柱２５，２６，２７と、上記基礎部材２４と平行に延びるように配置されて上記各脚柱２５，２６，２７の上端部に前後方向へ回動できるように取り付けられる手摺部材２８と、該手摺部材２８と少なくとも１本の脚柱２５との間に組み付けたロック機構２９，３０とを備えて、展開、収納（格納）が自在にできる折りたたみ式手摺Ｉとする。
【００１５】
詳述すると、固定部材２２に横方向から取り付けて固定できるようにしてある側面Ｌ字状の取付け用アーム２３を両端部に一体的に取り付けた基礎部材２４の上面に、ブラケット３１を基礎部材２４の長手方向複数個所に所要間隔で取り付け、該各ブラケット３１に、脚柱２５と２６と２７をそれぞれ支軸３２にて前後方向に回動自在に取り付ける。上記基礎部材２４の長手方向の長さ寸法とほぼ同じ長さ寸法としてある手摺部材２８の下面に、上記基礎部材２４の上面のブラケット３１に対応させて相対向するようにブラケット３３を下向きに取り付け、該各ブラケット３３に、上記各脚柱２５，２６，２７の上端部を支軸３４によりそれぞれ前後方向に回動自在に取り付け、各脚柱２５，２６，２７を直立状態にしたときに本発明の折りたたみ式手摺Ｉが展開されて使用状態になり、各脚柱２５，２６，２７が同一方向へ倒伏したときに本発明の折りたたみ式手摺Ｉが収納されて格納状態になるようにしてある。
【００１６】
本発明の折りたたみ式手摺Ｉは、上記のようにした構成において、例えば、基礎部材２４と手摺部材２８の端部に位置している1本の脚柱２５と、手摺部材２８の一端側下面との間に、本発明の折りたたみ式手摺Ｉを展開したときにロックする第１ロック機構２９と、本発明の折りたたみ式手摺Ｉを収納する途中位置で脚柱２５をロックする第２ロック機構３０とを、1つの手摺ラッチ部３５の操作で作動させるようにした構成とする。
【００１７】
上記第１ロック機構２９は、脚柱２５の上端部の前側壁を厚肉構造として前方へ水平方向にロック用プレート３６を突設して、該ロック用プレート３６に上下方向に貫通する挿入孔３７を穿設した構成とし、且つ上記脚柱２５が起立時のロック用プレート３６と手摺部材２８との間に位置するように該手摺部材２８の下面に、筒状部材３８を鉛直状態に位置させ、該筒状部材３８の上端部を、手摺部材２８の下面に取り付けた固定フレーム３９に取り付けて、手摺部材２８と一体構造とし、該筒状部材３８内に、スプリング４０で下方へ付勢されたロックピン４１を収納して、該ロックピン４１を上記脚柱２５側のロック用プレート３６のピン挿入孔３７に上方から挿入させることにより、手摺部材２８と脚柱２５をロックできるようにし、ロックピン４１をピン挿入孔３７より離脱させることにより、手摺部材２８と脚柱２５のロックを解除できるようにする。そのために、上記筒状部材３８内に収納されているロックピン４１には、スプリング４０と干渉しないように上下方向に延びる連結棒４２を固定して、上記固定フレーム３９に基端部（後端部）をピン４３により上下方向へ回動可能に取り付けた手摺ラッチ部３５の先端側下端部に、上記連結棒４２の上端部を連結した構成としてある。これにより、筒状部材３８内のスプリング４０によりロックピン４１が下向きに突出するように付勢されて脚柱２５のロック用プレート３６のピン挿入孔３７に挿入されると、手摺部材２８と脚柱２５は支軸３４を中心に回動できないロック状態となり、手摺ラッチ部３５を掴んで該ラッチ部３５の先端側を上方へ持ち上げるようにしてスプリング４０の弾力に打ち勝って連結棒４２を介しロックピン４１を引き上げることによりロックピン４１をロック用プレート３６のピン挿入孔３７より離脱させると、ロックを解除できるようにする。
【００１８】
一方、手摺部材２８を収納する途中位置で脚柱２５の倒状を停止させるようにする第２ロック機構３０は、上記固定フレーム３９を通して脚柱２５の上端部の方向へ出入できるようにピン挿通孔４４を筒状部材３８の上方位置に形成し、該ピン挿通孔４４に挿通させられているロックピン４５と、該ロックピン４５の後端部に一端部を連結すると共に他端部を手摺ラッチ部３５の先端側上端面に載置させるようにするＬ字形状のレバー４６と、該レバー４６の他端部側を下向きに押し付けるように付勢するスプリング４７とを備え、上記Ｌ字形状のレバー４６を支軸４８にて固定フレーム３９に取り付けた構成としてあり、脚柱２５の上端面に上向きに設けた凸部４９を上記ロックピン４５の先端部に係止させることにより、該脚柱２５の回動を制限できるようにロックし、手摺ラッチ部３５によりＬ字形状のレバー４６の他端側を上方へ変位させてロックピン４５を後退させることにより、脚柱２５の凸部４９とのロックを解除できるようにしてある。
【００１９】
上記構成としてあるので、本発明の折りたたみ式手摺Ｉを、たとえば、人が横臥するベッドの側部のフレームに取り付けて使用するときは、ベッドの両側部のフレームの如き固定部材２２に取付用アーム２３を介して基礎部材２４を固定設置する。
【００２０】
ベッド使用時は、各脚柱２５，２６，２７を図１に実線で示す如く起立させて手摺部材２８を水平状態に展開させ、脚柱２５のロック用プレート３６上に第１ロック機構２９の筒状部材３８の下端部を位置させて、ロックピン４１をロック用プレート３６のピン挿入孔３７に挿入させてロックする。これにより手摺部材２８と脚柱２５とが固定されるため、本発明の折りたたみ式手摺Ｉは展開状態が保持され、ベッド上で寝返りをしてもベッドからの落下は防止され、又、ベッド上で立上がるときに手摺部材２８を把持することにより、手摺部材２８を支えとして使用することができる。
【００２１】
本発明の折りたたみ式手摺Ｉを不使用時に収納しようとするときは、手摺ラッチ部３５を掴んで該ラッチ部３５の先端側を持ち上げるようにする。これにより手摺ラッチ部３５が基端部のピン４３を中心に先端側が図１及び図３で反時計方向へ回動させられることから、筒状部材３８内の連結棒４２を介してロックピン４１がスプリング４０に抗して上方へ移動させられる。ロックピン４１が脚柱２５のロック用プレート３６のピン挿入孔３７から離脱させられると、手摺部材２８と脚柱２５とのロックが解除される。このとき、手摺ラッチ部材３５の先端側上面に他端部が係合しているＬ字形状のレバー４６は、該手摺ラッチ部３５の先端側の上方への変位により支軸４８を中心にスプリング４７の弾力に抗して図１及び図３で時計方向に回動させられるため、該レバー４６を介してロックピン４５が後退させられることになる。
【００２２】
このように、本発明においては、手摺ラッチ部３５を掴んで先端側を持ち上げるようにすることにより、同時に２組のロックピン４１と４５は後退させられて解放状態になる。
【００２３】
したがって、上記手摺ラッチ部３５を掴んで先端側を持ち上げた状態のままで手摺部材２８を下方へ押し下げて収納させるようにすれば、その間は２組のロックピン４１と４５によるロック状態は解放されているため、手摺部材２８は一気に最終の収納状態まで折りたたむことができ、又、逆に、収納状態から展開させるときは途中位置で固定されることなく展開させることが可能となる。
【００２４】
上記において、手摺ラッチ部３５の操作で２組のロックピン４１，４５を後退させて、脚柱２５と手摺部材２８とのロックを解除した後、手摺ラッチ部３５から手を離した状態にすると、図５に実線で示す如くスプリング４０と４７のそれぞれの弾力によりロックピン４１と４５はともに元の状態に復帰させられる。すなわち、筒状部材３８内のロックピン４１は下方へ突出させられ、ロックピン４５はピン挿通孔４４内を押し出されて脚柱２５側に先端部が突出した状態になるため、この状態で手摺部材２８を収納させようとすると、ロックピン４５に脚柱２５上端面の凸部４９が当接して該脚柱２５がロックピン４５により回動が停止させられる。これにより、手摺部材２８を把持した状態で強く押し下げて収納しようとしても、手が手摺部材２８と脚柱２５，２６，２７との間、あるいは脚柱２５，２６，２７と基礎部材２４との間に挟まれることが未然に防止されることになる。
【００２５】
上記ロックピン４５と脚柱２５の凸部４９との係合による手摺収納途中でのロック状態は、手摺ラッチ部３５を再び掴んでスプリング４７に抗してレバー４６を回動させてロックピン４５を後退させることにより容易に解除することができ、収納することが可能となる。
【００２６】
本発明の折りたたみ式手摺Ｉによれば、１つの手摺ラッチ部３５を操作するだけで、同時に２つのロックピン４１と４５を解放でき、手摺部材２８と脚柱２５とのロックを解除した後に手摺ラッチ部３５から手を離してロックピン４１，４５をロック状態にしておけば、収納途中で脚柱２５の凸部４９をロックピン４５にぶつけることができて手摺部材２８と脚柱２５とをロックできることから、収納時に手を挟むようなことがなくなる。又、手摺ラッチ部３５は手摺部材２８の端部で且つ下面側にあることから、手摺部材２８を握っているときに手摺ラッチ部３５を誤操作するようなこともなくすことができる。
【００２７】
なお、本発明は、上記実施の形態のもののみに限定されるものではなく、たとえば、筒状部材３８に収納するスプリング４０は、ロックピン４１を下向きに付勢できるものであればよく、図示以外のものとしてもよいこと、ロックピン４５を操作するのにレバー４６を用いる場合を示したが、レバー４６とピン４５を一体にしたクランク状のものとしてもよいこと、本発明の折りたたみ式手摺Ｉを、ベッドの側部フレームに取り付けて使用する場合を示したが、ベッドに限らず、手摺を必要とし且つ折りたたんで収納することが必要なところに用いる手摺であれば、採用できること、その他本発明の要旨を逸脱しない範囲内で種々変更を加え得ることは勿論である。
【図面の簡単な説明】
【００２８】
【図１】本発明の折りたたみ式手摺の側面図である。
【図２】図１のＡ−Ａ矢視図である。
【図３】図１のＢ部の拡大図である。
【図４】図３のＣ−Ｃ矢視図である。
【図５】本発明の折りたたみ式手摺の要部の作動状態を示す概要図である。
【図６】従来の例を示す側面図である。
【図７】図６に示すロック機構の要部切断側面図である。
【符号の説明】
【００２９】
Ｉ  折りたたみ式手摺
２４  基礎部材
２５  脚柱
２６  脚柱
２７  脚柱
２８  手摺部材
２９  第１ロック機構（ロック機構）
３０  第２ロック機構（ロック機構）
３５  手摺ラッチ部
３６  ロック用プレート
３８  筒状部材
４０  スプリング
４１  ロックピン
４５  ロックピン
４６  レバー
４７  スプリング
４８  支軸
４９  凸部
【図１】
2009213797.tif 000003
【図２】
2009213797.tif 000004
【図３】
2009213797.tif 000005
【図４】
2009213797.tif 000006
【図５】
2009213797.tif 000007
【図６】
2009213797.tif 000008
【図７】
2009213797.tif 000009